(57)【要約】【課題】建物の地縄立ち会いなどに際し、建てようとする建物の基礎側に配される各面などが、建物が完成したときにどの高さや位置に配されるかを、分かりやすく説明できるようにする。【解決手段】前面１を、建てようとする建物の基礎側断面形状Ｆを実寸大で表示する表示面１ａとすると共に、前記基礎側断面形状Ｆにおける設計地盤面以上Ｆ”を表示させた装置上部３と、この設計地盤面以下Ｆ’を表示させた装置下部２とが、屈曲可能につながっている。【選択図】図３
2006301051.tif 000002
【特許請求の範囲】
【請求項１】
前面を、建てようとする建物の基礎側断面形状を実寸大で表示する表示面とすると共に、
前記基礎側断面形状における設計地盤面以上を表示させた装置上部と、この設計地盤面以下を表示させた装置下部とが、屈曲可能につながっていることを特徴とする建物基礎側の各位置の表示装置。
【請求項２】
装置上部が、現状地盤に立設される支持体によって、任意の移動位置での仮保持可能に上下動可能に支持されるようになっていることを特徴とする請求項１記載の建物基礎側の各位置の表示装置。
【請求項３】
支持体が、現状地盤に起立状態に設置される棒状体であることを特徴とする請求項２記載の建物基礎側の各位置の表示装置。
【請求項４】
表示面に、基礎天端面、床面、玄関土間面、玄関ポーチ面、勝手口土間面、防湿土間面などの建物の各部位の仕上がり位置の少なくとも一つ以上が、表示されていることを特徴とする請求項１〜請求項３のいずれか１項に記載の建物基礎側の各位置の表示装置。
【請求項５】
表面を表示面としたプレート体によって構成されていると共に、この表示面に基礎側断面形状を記したシート体を貼着させてなることを特徴とする請求項１〜請求項４のいずれか１項に記載の建物基礎側の各位置の表示装置。
【発明の詳細な説明】
【技術分野】
【０００１】
この発明は、建物の地縄立ち会いなどに際し、建てようとする建物の基礎側に配される各面などが、建物が完成したときにどの高さや位置に配されるかを、分かりやすく表示する表示装置に関する。
【背景技術】
【０００２】
従来、建物の地縄立ち会いにおいては、準備工事において用意された縄張りに基づいて、敷地内への建物の納まり具合、建物の配置を施主に説明し確認をしてもらっていた。
【０００３】
しかし、次のような建物基礎側の各仕上がり位置は、従来の説明手法では専門家ではない施主には理解し難い場合も少なくなかった。
（１）設計地盤面のレベル
（２）基礎天端面、床面などのレベル
（３）建物の外壁面と敷地境界線との間の間隔
（４）道路からの高低
【０００４】
基礎の左右幅や高さを確認説明するものとして特許文献１に示されるものがあるが、これはいわば基礎の模型であって地縄立ち会いの説明の用に供せるものではない。
【特許文献１】特開２０００−３２０１４９号公報
【発明の開示】
【発明が解決しようとする課題】
【０００５】
この発明が解決しようとする主たる問題点は、建物の地縄立ち会いなどに際し、建てようとする建物の基礎側に配される各面などが、建物が完成したときにどの高さや位置に配されるかを、分かりやすく説明できるようにする点にある。
【課題を解決するための手段】
【０００６】
前記課題を解決するために、この発明にあっては、建物基礎側の各位置の表示装置を、
前面を、建てようとする建物の基礎側断面形状を実寸大で表示する表示面とすると共に、
前記基礎側断面形状における設計地盤面以上を表示させた装置上部と、この設計地盤面以下を表示させた装置下部とが、屈曲可能につながっている構成のものとした。
【０００７】
かかる構成によれば、表示装置の装置上部を略鉛直に支持させた状態で、装置下部の下端を現状地盤に突き当てながら、この装置上部と装置下部とのつなぎあわせ箇所が設計地盤面となるレベルに位置づけられるように装置下部を屈曲させることができる。これにより、地縄立ち会いにおいて、施主に対し、少なくとも設計地盤面の高さと、設計地盤面以下にどのような基礎がどのような大きさで埋設されるかを、現状地盤を掘削することなく、分かりやすく説明することができる。
【０００８】
前記装置上部が、現状地盤に立設される支持体によって、任意の移動位置での仮保持可能に上下動可能に支持されるようにしておくこともある。
【０００９】
このようにした場合、装置下部の下端を現状地盤に突き当てながら、この装置上部と装置下部とのつなぎあわせ箇所が設計地盤面となるレベルに位置づけられるように装置下部を屈曲させた状態を、安定的に維持させることができる。施主の要望などによりかかるレベルを変更した状態を表示させることも容易になすことができる。また、地縄立ち会い後も装置上部と装置下部とのつなぎあわせ箇所が設計地盤面となるレベルに位置づけられるようにした表示装置を設置し続けることができ、その後の施工において基礎高さなどに間違いが生じないようにすることができる。
【００１０】
前記支持体を、現状地盤に起立状態に設置される棒状体としておくこともある。
【００１１】
このようにした場合、現状地盤に単純に打ち込んだ棒状体によって表示装置を容易に上下動可能に支持させることができる。
【００１２】
前記表示面に、基礎天端面、床面、玄関土間面、玄関ポーチ面、勝手口土間面、防湿土間面などの建物の各部位の仕上がり位置の少なくとも一つ以上が、表示されているようにしておくこともある。
【００１３】
このようにした場合、設計地盤面の仕上がり位置に加えて、これらの面のレベルも地縄立ち会いにおいて施主などに対し分かりやすく説明することができる。
【００１４】
表示装置を、表面を表示面としたプレート体によって構成されていると共に、この表示面に基礎側断面形状を記したシート体を貼着させて構成させておくこともある。
【００１５】
このようにした場合、基礎側断面形状を容易かつ明確に表示装置の表示面に表示させることができると共に、表示させる基礎側断面形状の変更も容易に行うことができる。
【発明の効果】
【００１６】
この発明にかかる表示装置によれば、建物の地縄立ち会いなどにおいて、建てようとする建物の基礎側に配される各面などが、建物が完成したときにどの高さや位置に配されるかを、視覚的に表示することができ、確認の前提となる事項を施主などに分かりやすく説明することができる。
【発明を実施するための最良の形態】
【００１７】
以下、図１ないし図５に基づいて、この発明を実施するための最良の形態について説明する。
【００１８】
なお、ここで図１は、実施の形態にかかる表示装置の一例をその表示面１ａ側から見て、また、図２は、図１と反対側から見て、それぞれ示している。また、図３は、装置下部２と装置上部３とのつなぎあわせ箇所２ｂが設計地盤面となるレベルＬに位置されるように装置下部２の下端２ｃを現状地盤Ｇに突き当てた状態で装置下部２を前方に向けて屈曲させた様子を表示面１ａ側から見て、また、図４は、図３と反対側から見て、また、図５は、側方から見て、それぞれ示している。
【００１９】
この実施の形態にかかる表示装置は、建物の地縄立ち会いに際し、建てようとする建物の基礎側に配される各面などが、建物が完成したときにどの高さや位置に配されるかを、施主に分かりやすく説明するなどの用途で用いられるものである。
【００２０】
かかる建物の各面としては、設計地盤面（いわゆる設計ＧＬ／基礎工事を始める前の現状地盤Ｇよりも基礎工事から生じる土砂によって高いレベルＬとなる。）、床面、玄関土間面、玄関ポーチ面、勝手口土間面、防湿土間面、外壁面などが予定される。
【００２１】
かかる表示装置は、前面１を、建てようとする建物の基礎側断面形状Ｆを実寸大で表示する表示面１ａとすると共に、
前記基礎側断面形状Ｆにおける設計地盤面以下Ｆ’を表示させた装置下部２が、その上端２ａ、つまり、この基礎側断面形状Ｆにおける設計地盤面以上Ｆ”を表示させた装置上部３とのつなぎあわせ箇所２ｂにおいて屈曲可能となっている。
【００２２】
図示の例では、かかる装置下部２は、その下端２ｃを現状地盤Ｇに接しさせた状態で前方に向けて屈曲できるようになっている。
【００２３】
また、図示の例にあっては、かかる表示装置は、上下に長い略長方形のプレート体として構成されている。そして、その一面が前記前面１となっており、この前面１に前記基礎側断面形状Ｆが実寸大で表示されている。かかる基礎側断面形状Ｆは、典型的にはいわゆる矩計図に基づいて作成される。
【００２４】
かかる基礎側断面形状Ｆを、前記表示面１ａに基礎側断面形状Ｆを記したシート体（実寸大の矩計図を複写した紙など）を糊や両面粘着テープなどを用いて貼着させることにより表示装置に備えさせるようにしておけば、この基礎側断面形状Ｆを容易かつ明確に表示装置の表示面１ａに表示させることができると共に、表示させる基礎側断面形状Ｆの変更も容易となる。
【００２５】
かかる表示装置にあっては、表示装置の装置上部３を略鉛直に支持させた状態で、装置下部２の下端２ｃを現状地盤Ｇに突き当てながら、この装置上部３と装置下部２とのつなぎあわせ箇所２ｂが設計地盤面となるレベルＬに位置づけられるように装置下部２を屈曲させることができる。これにより、地縄立ち会いにおいて、施主に対し、少なくとも設計地盤面の高さと、設計地盤面以下Ｆ’にどのような基礎がどのような大きさで埋設されるかを、現状地盤Ｇを掘削することなく、分かりやすく説明することができる。
【００２６】
かかる表示面１ａに、基礎天端面、床面、玄関土間面、玄関ポーチ面、勝手口土間面、防湿土間面などの建物の各部位の仕上がり位置の少なくとも一つ以上とが、表示されているようにしておけば、これらの面のレベルも地縄立ち会いにおいて施主などに対し分かりやすく説明することができる。
【００２７】
典型的には、かかる表示装置は、表示面１ａに描かれた基礎の中心が地縄Ｒ上に位置されるように現状地盤Ｇ上に配されて用いられる。これにより、道路面からの基礎などの距離、道路面を基準とした各部位のレベル、隣地との間隔などが一見して理解可能となる。
【００２８】
図示の例では、装置上部３の表示面１ａに、基礎天端面Ｆａと床面Ｆｂと玄関土間面Ｆｃと玄関ポーチ面Ｆｄと外壁面Ｆｅと建物下の盛り土面Ｆｆとが表示されている。これにより図示の例では、地縄立ち会いにおいて、施主に、基礎天端面Ｆａと床面Ｆｂと玄関土間面Ｆｃと玄関ポーチ面Ｆｄと建物下の盛り土面Ｆｆのレベル、および、外壁面Ｆｅの位置を、分かりやすく説明することができるようになっている。また、図示の例では、表示面１ａに、基礎の中心などを示す垂直基準線（図中の一点鎖線）を表示させている。これにより、基礎の中心を前記のように地縄Ｒに合わせやすくなっている。また、図示の例では、表示面１ａにさらに、表示された建物の各部位の名称を表示させている。（図中の１ＦＬの表示など）また、図示の例では、表示面１ａにさらに、かかる建物の各部位の仕上がり高さの寸法（数値）を表示させている。（図中の（＋６８０）の表示など）このようにしておけば、表示装置を使った説明をより分かりやすく、かつ、具体的なものとすることができる。
【００２９】
なお、図示の例では、装置上部３の表示面１ａには、柱Ｆｇの下部と土台Ｆｈと床板Ｆｉと大引Ｆｊとがさらに表示されている。
【００３０】
また、図示の例では、装置下部２の上端２ａと、装置上部３の下端とが、ヒンジ体４を介してつながっており、これにより、装置下部２が前記のように屈曲できるようになっている。図示の例では、ヒンジ体４は表示装置の左右両側にそれぞれ備えられている。
【００３１】
図示の例とは異なり、装置下部２は、装置上部３に対し、屈曲可能に連設されるようにしてあっても良い。例えば、一枚のプレート体に幅方向に沿った折り癖を付けてこの折り癖より下方がこの折り癖を屈曲箇所として折り曲げることができる前記装置下部２となるようにしたり、一枚のプレート体に幅方向に亘る溝を形成してこの溝より下方がこの溝を屈曲箇所として折り曲げることができる前記装置下部２となるようにしたり、しておくことができる。こうした場合には、プレート体は、厚紙やプラスチックなどの屈曲可能な材料によって形成させておく。
【００３２】
また、この実施の形態にあっては、装置上部３が、現状地盤Ｇに立設される支持体５によって、任意の移動位置での仮保持可能に上下動可能に支持されるようになっている。
【００３３】
かかる支持体５としては、三脚などの、現状地盤Ｇに立設されると共に任意の移動位置での仮保持可能に上下動される部分を備えた各種装置を用いることができる。例えば、三脚を支持装置とする場合には、装置上部３の上端側に三脚の脚上に上下動可能に支持される雲台につなげた紐などの通し穴や引っかけ部などを形成させておけば、表示装置を任意の移動位置での仮保持可能に上下動可能につりさげ状に支持させることができる。水平器を用いれば装置上部３を設計地盤に合わせて正確に垂直を表示させることができる。この装置上部３に水平器を取り付けておいても良い。
【００３４】
図示の例では、かかる支持体５を、現状地盤Ｇに起立状態に設置される棒状体５ａとしている。このようにした場合、現状地盤Ｇに単純に打ち込んだ棒状体５ａによって表示装置を容易に上下動可能に支持させることができる。かかる棒状体５ａとしては、鉄筋などを用いることができる。また、この棒状体５ａを含んで表示装置を構成させておいても良い。この場合には、棒状体５ａの下端は現状地盤Ｇに打ち込みやすいように尖らせておくことが好ましい。棒状体５ａを水平器を用いて垂直に打ち込むようにしておけば、装置上部３を垂直に取り付け易くなる。
【００３５】
図示の例では、装置上部３の裏面に、装置上部３の幅方向略中程の位置において上下方向に沿って長く延びるように取り付けられた管体６が取り付けられている。この管体６は管上下端をそれぞれ開放させており、管下端６ａからその内部に棒状体５ａを入れ込めるように構成されている。それと共に、管体６の上下方向略中程の位置には、雌ねじ穴が形成され、そしてこの雌ねじ穴に蝶ねじ６ｄがネジ付けられている。そして蝶ねじ６ｄをゆるめた状態で管体６に棒状体５ａを通すことができ、かつ、このように通された棒状体５ａに沿って装置上部３を上下動させることができる。つまり、下端２ｃを現状地盤Ｇに接しさせた装置下部２の上端２ａのレベルを装置下部２と装置上部３とがなす角度（屈曲角度）を変えながら可変調整することができ、またこの調整後は、蝶ねじ６ｄを締め込むことにより調整位置に装置上部３が位置された状態を安定的に維持させることができる。
【００３６】
これにより、この実施の形態にかかる表示装置によれば、装置下部２の下端２ｃを現状地盤Ｇに突き当てながら、この装置上部３と装置下部２とのつなぎあわせ箇所２ｂが設計地盤面となるレベルＬに位置づけられるように装置下部２を屈曲させた状態を、安定的に維持させることができる。施主の要望などによりかかるレベルＬを変更した状態を表示させることも容易になすことができる。また、地縄立ち会い後も装置上部３と装置下部２とのつなぎあわせ箇所２ｂが設計地盤面となるレベルＬに位置づけられるようにした表示装置を設置し続けることができ、その後の施工において基礎高さなどに間違いが生じないようにすることができる。
【図面の簡単な説明】
【００３７】
【図１】表示装置の斜視構成図
【図２】表示装置の斜視構成図
【図３】表示装置の使用状態を示した斜視図
【図４】表示装置の使用状態を示した斜視図
【図５】同側面図
【符号の説明】
【００３８】
１  前面
１ａ  表示面
Ｆ  基礎側断面形状
２  装置下部
【図１】
2006301051.tif 000003
【図２】
2006301051.tif 000004
【図３】
2006301051.tif 000005
【図４】
2006301051.tif 000006
【図５】
2006301051.tif 000007